(57)【要約】      （修正有）【課題】適量の餌を送出するペット給餌器を提供する。【解決手段】ペット給餌器は、ハウジングと、その一側に設けられた餌皿２と、ハウジング内に設けられた餌容器３および装着ベース１１を含む。餌容器の上部には餌入口が設けられ、その底部には第１餌出口が設けられる。装着ベースには、駆動機構４、伝動部材及びマイクロスイッチが設けられる。駆動機構は伝動部材の回転を駆動し、伝動部材は、一定角度の回転でマイクロスイッチを一回トリガする。伝動部材には、それに駆動接続された回転軸部材７が設けられ、回転軸部材には、均一に分布する複数の羽根が設けられる。餌容器の底部に餌落下皿８が設けられ、回転軸部材は餌落下皿を貫通し、複数の羽根は、餌落下皿を複数の餌落下槽に分割する。餌落下皿の底部に第２餌出口が設けられ、ハウジング内に餌落下管１２が設けられる。餌が第１餌出口から餌落下槽内に落下すると、第２餌出口から餌落下管を介して餌皿内に落下する。【選択図】図２
0003221939.tif 000002
【実用新案登録請求の範囲】
【請求項１】
ペット給餌器であって、ハウジングと、前記ハウジングの一側に設けられた餌皿と、前記ハウジング内に設けられた餌容器とを含み、前記餌容器の上部には餌入口が設けられ、その底部には第１餌出口が設けられ、前記ハウジング内には装着ベースが更に設けられ、前記装着ベースには、駆動機構、伝動部材及びマイクロスイッチが設けられ、前記駆動機構は前記伝動部材の回転を駆動し、前記伝動部材は、一定角度回転すると、前記マイクロスイッチを一回トリガし、前記伝動部材には、それに駆動接続された回転軸部材が設けられ、前記回転軸部材には均一に分布する複数の羽根が設けられ、前記餌容器の底部には、それに螺着された餌落下皿が設けられ、前記回転軸部材は前記餌落下皿を貫通し、複数の前記羽根は、前記餌落下皿を複数の餌落下槽に分割し、前記餌落下皿の底部には第２餌出口が設けられ、前記ハウジング内には餌落下管が設けられ、前記餌落下管には赤外線センサーが設けられ、前記餌容器内の餌が前記第１餌出口から前記餌落下槽内に落下し、前記回転軸部材が回転すると、前記羽根は、前記餌落下槽内の餌を前記第２餌出口に移動させ、餌は前記第２餌出口から前記餌落下管に進入し、その後、前記餌皿内に落下する、ことを特徴とするペット給餌器。
【請求項２】
前記伝動部材は、タービン、複数のトリガ部、及び装着円筒を含み、前記トリガ部は「Ｖ」字形の突出部であり、複数の前記トリガ部は、前記タービンの縁部に沿ってタービンの上面に均一に分布し、前記マイクロスイッチのアクションバネは前記トリガ部に当接し、前記装着円筒は前記タービンの中央部に設けられ、前記装着円筒には装着穴が設けられる、ことを特徴とする請求項１に記載のペット給餌器。
【請求項３】
前記駆動機構は、モーター、第１ベルトプーリ、第２ベルトプーリ、及びウォームスクリューを含み、前記モーターは、第１ベルトを介して前記第１ベルトプーリに駆動接続され、前記第１ベルトプーリは、第２ベルトを介して前記第２ベルトプーリに駆動接続され、前記ウォームスクリューは、前記第２ベルトプーリの円心位置に固定接続され、前記タービンは、前記ウォームスクリューと噛み合う、ことを特徴とする請求項２に記載のペット給餌器。
【請求項４】
前記回転軸部材の付け根部は挿着ポールであり、前記挿着ポールの断面は「十」字形を呈し、前記挿着ポールは、前記装着穴とマッチングし、前記回転軸部材には羽根装着円筒が更に設けられ、複数の前記羽根は、前記羽根装着円筒の側面に均一に分布し、前記回転軸部材の頭部には撹拌翼が設けられる。前記撹拌翼は、前記第１餌出口を通して前記餌容器内に延びる、ことを特徴とする請求項２に記載のペット給餌器。
【請求項５】
前記ハウジングは、フロントパネル、及び前記フロントパネルの一側に下から上に順に設けられた下ハウジングと上ハウジングを含み、前記上ハウジングと前記下ハウジングとは回転可能に接続され、前記上ハウジングの内上面には装着板が設けられ、前記装着板には、それに摺動可能に接続されたピンプレートが設けられ、前記フロントパネルの側面には、前記ピンプレートに対応するピンホールが設けられ、前記ピンプレートには押しボタンが設けられ、前記上ハウジングには、前記押しボタンに対応する位置回避穴が設けられる、ことを特徴とする請求項１に記載のペット給餌器。
【請求項６】
前記餌容器にはシールリングが設けられ、前記シールリングは前記餌入口の周りに配置され、前記装着板の底面には、前記シールリングとマッチングする環形槽が設けられる、ことを特徴とする請求項５に記載のペット給餌器。
【請求項７】
前記装着板の底面には、収容室と、前記収容室をカバーするためのカバー板とが更に設けられ、前記カバー板には複数の貫通孔が設けられ、前記カバー板の側縁には係止突起が設けられ、前記装着板には、前記係止突起に対応する係止孔が設けられる、ことを特徴とする請求項５に記載のペット給餌器。
【請求項８】
前記フロントパネル上には、撮像のための赤外線暗視カメラが更に設けられ，前記ハウジング内には、前記駆動機構を制御するための給餌ボタン、ＷＩＦＩモジュール及びＭＣＵモジュールが更に設けられ、前記下ハウジングには、電力を供給するための電源インターフェースが設けられ、前記給餌ボタン、前記ＷＩＦＩモジュール、前記赤外線暗視カメラ、前記駆動機構、前記赤外線センサーはいずれも前記ＭＣＵモジュールに電気的に接続される、ことを特徴とする請求項５に記載のペット給餌器。
【請求項９】
前記餌容器の底部には、詰まり防止ブロックが更に設けられる、ことを特徴とする請求項１に記載のペット給餌器。
【請求項１０】
前記羽根と前記トリガ部とは、同じ数で一対一に対応する、ことを特徴とする請求項４に記載のペット給餌器。
【考案の詳細な説明】
【技術分野】
【０００１】
本考案は給餌器技術の分野に関し、特にペット給餌器に関する。
【背景技術】
【０００２】
ペット給餌器は、主な機能がペットに餌を提供することである新たなペット周辺機器である。ペットの飼い主が家にいないとき、ペットは給餌器から餌を得ることができる。
従来技術のペット給餌器の大部分は以下の問題を有する。１．餌を直接送出し、且つ餌を定量的に送出することができない。送出された餌が少な過ぎると、ペットの空腹原因となり、送出された餌が多過ぎると、ペットが食べ過ぎることがある。２．防湿対策がないため、ペットフードが湿気で変質し、ペットの健康に影響を与える。３．餌が詰まりやすいため、ペットが空腹になる。
【０００３】
従って、従来技術の欠点を解決するためにペット給餌器を提供する必要がある。
【考案の概要】
【考案が解決しようとする課題】
【０００４】
本考案の目的は、従来技術の欠点に対してペット給餌器を提供することである。
【課題を解決するための手段】
【０００５】
前記課題を解決するために、本考案は以下のような技術案を採用する。
ペット給餌器は、ハウジングと、前記ハウジングの一側に設けられた餌皿と、前記ハウジング内に設けられた餌容器とを含む。前記餌容器の上部には餌入口が設けられ、その底部には第１餌出口が設けられる。前記ハウジング内には装着ベースが設けられる。前記装着ベースには、駆動機構、伝動部材及びマイクロスイッチが設けられる。前記駆動機構は前記伝動部材の回転を駆動する。前記伝動部材は、一定角度回転すると、前記マイクロスイッチを一回トリガする。前記伝動部材には、それに駆動接続された回転軸部材が設けられる。前記回転軸部材には、均一に分布する複数の羽根が設けられる。前記餌容器の底部には、それに螺着された餌落下皿が設けられる。前記回転軸部材は前記餌落下皿を貫通し、複数の前記羽根は前記餌落下皿を複数の餌落下槽に分割する。前記餌落下皿の底部には第２餌出口が設けられる。前記ハウジング内には餌落下管が設けられ、前記餌落下管には赤外線センサーが設けられる。前記餌容器内の餌は前記第１餌出口から前記餌落下槽内に落下する。前記回転軸部材が回転すると、前記羽根は、前記餌落下槽内の餌を前記第２餌出口に移動させる。餌は前記第２餌出口から前記餌落下管に進入し、その後、前記餌皿内に落下する。
【０００６】
好ましくは、前記伝動部材は、タービン、複数のトリガ部、及び装着円筒を含む。前記トリガ部は「Ｖ」字形の突出部である。複数の前記トリガ部は、前記タービンの縁部に沿ってタービンの上面に均一に分布する。前記マイクロスイッチのアクションバネは前記トリガ部に当接する。前記装着円筒は前記タービンの中央部に設けられ、前記装着円筒には装着穴が設けられる。
【０００７】
好ましくは、前記駆動機構は、モーター、第１ベルトプーリ、第２ベルトプーリ、及びウォームスクリューを含む。前記モーターは、第１ベルトを介して前記第１ベルトプーリに駆動接続される。前記第１ベルトプーリは、第２ベルトを介して前記第２ベルトプーリに駆動接続され、前記ウォームスクリューは、前記第２ベルトプーリの円心位置に固定接続され、前記タービンは、前記ウォームスクリューと噛み合う。
【０００８】
好ましくは、前記回転軸部材の付け根部は挿着ポールであり、前記挿着ポールの断面は「十」字形を呈する。前記挿着ポールは、前記装着穴とマッチングする。前記回転軸部材には羽根装着円筒が更に設けられる。複数の前記羽根は、前記羽根装着円筒の側面に均一に分布する。前記回転軸部材の頭部には撹拌翼が設けられる。前記撹拌翼は、前記第１餌出口を通して前記餌容器内に延びる。
【０００９】
好ましくは、前記ハウジングは、フロントパネル、及び前記フロントパネルの一側に下から上に順に設けられた下ハウジングと上ハウジングを含む。前記上ハウジングと前記下ハウジングとは回転可能に接続される。前記上ハウジングの内上面には装着板が設けられる。前記装着板には、それに摺動可能に接続されたピンプレートが設けられる。前記フロントパネルの側面には、前記ピンプレートに対応するピンホールが設けられる。前記ピンプレートには押しボタンが設けられる。前記上ハウジングには、前記押しボタンに対応する位置回避穴が設けられる。
【００１０】
好ましくは、前記餌容器にはシールリングが設けられ、前記シールリングは前記餌入口の周りに配置される。前記装着板の底面には、前記シールリングとマッチングする環形溝が設けられる。
【００１１】
好ましくは、前記装着板の底面には、収容室と、前記収容室をカバーするためのカバー板とが更に設けられる。前記カバー板には複数の貫通孔が設けられる。前記カバー板の側縁には係止突起が設けられ、前記装着板には、前記係止突起に対応する係止孔が設けられる。
【００１２】
好ましくは、前記フロントパネル上には、撮像のための赤外線暗視カメラが更に設けられる。前記ハウジング内には、前記駆動機構を制御するための給餌ボタン、ＷＩＦＩモジュール及びＭＣＵモジュールが更に設けられる。前記下ハウジングには、電力を供給するための電源インターフェースが設けられる。前記給餌ボタン、前記ＷＩＦＩモジュール、前記赤外線暗視カメラ、前記駆動機構、前記赤外線センサーはいずれも前記ＭＣＵモジュールに電気的に接続される。
【００１３】
好ましくは、前記餌容器の底部には詰まり防止ブロックが更に設けられる。
【００１４】
好ましくは、前記羽根と前記トリガ部とは、同じ数で一対一に対応する。
【考案の効果】
【００１５】
本考案の有利な効果は以下のとおりである。
１．複数の羽根は餌落下皿を複数の同じ容積の餌落下槽に分割し、餌落下槽は定量化の作用を果たす。餌を送出するとき、餌容器内の餌が第１餌出口から餌落下槽内に落下する。回転軸部材が回転すると、羽根は餌落下槽内の餌を第２餌出口に移動させる。餌は第２餌出口から餌落下管に進入し、その後、餌皿内に落下する。１つの餌落下槽内の餌が餌皿内に落下すると、１食分の餌となる。同時に、トリガ部はマイクロスイッチをトリガし、駆動機構は動作を停止し、一回の餌送出を完了する。従って、このペット給餌器は餌を定量的に送出することができる。
２．装着板の底面には、収容室及び収容室をカバーするためのカバー板がさらに設けられる。カバー板には複数の貫通孔が設けられる。カバー板の側縁には係止突起が設けられ、装着板には、係止突起に対応する係止孔が設けられる。使用時に、乾燥剤パックが収容室内に置かれ、カバー板で覆われる。乾燥剤パックは、貫通孔を通して湿気を吸収するように機能する。餌容器にはシールリングが設けられ、シールリングは餌入口の周りに配置される。装着板の底面には、シールリングとマッチングする環形溝が設けられる。シールリングは環形溝内に嵌入され、密封の作用を果たして、湿気防止の効果を更に向上させる。
３、餌容器の底部には詰まり防止ブロックが更に設けられる。詰まり防止ブロックは軟質ゴム製であり、複数の帯状部材を有する。詰まり防止ブロックは、詰まりを防止するために餌を餌落下槽内に掻き落とす。
【図面の簡単な説明】
【００１６】
【図１】本考案のペット給餌器の立体図である。
【図２】本考案のペット給餌器の分解図である。
【図３】本考案のペット給餌器の構造模式図である。
【図４】本考案の駆動機構、伝動部材、回転軸部材及び餌落下皿の装着模式図である。
【図５】本考案の駆動機構、伝動部材及び回転軸部材の装着模式図である。
【図６】本考案の伝動部材の構造模式図である。
【図７】本考案の回転軸部材の構造模式図である。
【図８】本考案の餌落下皿の構造模式図である。
【図９】本考案の餌容器の構造模式図である。
【図１０】本考案の餌容器の別の構造模式図である。
【図１１】本考案の装着板の構造模式図である。
【図１２】本考案の装着板の別の構造模式図である。
【図１３】本考案のフロントパネルの構造模式図である。
【図１４】本考案の給餌ボタン、ＷＩＦＩモジュール、赤外線暗視カメラ、駆動機構、赤外線センサー及びＭＣＵモジュールの構造模式図である。
【考案を実施するための形態】
【００１７】
以下、実施例を参照しながら本考案について更に説明する。これらは本考案の好ましい実施例である。
【００１８】
図１〜１４に示されるように、ペット給餌器は、ハウジング１と、前記ハウジング１の一側に固定された餌皿２と、前記ハウジング１内に設けられた餌容器３とを含む。前記餌容器３の上部には、餌を加えるための餌入口３１が設けられ、その底部には第１餌出口３２が設けられる。前記ハウジング１内には装着ベース１１が固定される。前記装着ベース１１には、駆動機構４、伝動部材５及びマイクロスイッチ６が設けられる。前記駆動機構４は前記伝動部材５の回転を駆動する。前記伝動部材５は、一定角度回転すると、前記マイクロスイッチ６を一回トリガする。前記伝動部材５には、それに駆動接続された回転軸部材７が設けられる。前記回転軸部材７には、均一に分布する複数の羽根７１が設けられる。前記餌容器３の底部には、それに螺着された餌落下皿８が設けられる。前記回転軸部材７は前記餌落下皿８を貫通し、複数の前記羽根７１は前記餌落下皿８を複数の同じ容積の餌落下槽８１に分割する。前記餌落下皿８の底部には第２餌出口８２が設けられる。前記ハウジング１内には餌落下管１２が設けられ、前記餌落下管１２には赤外線センサー１２１が設けられる。赤外線センサー１２１は、餌が餌落下管１２を通過したか否かを感知するために使用される。ペット給餌器の動作時に、前記餌容器３内の餌が前記第１餌出口３２を通して前記餌落下槽８１内に落下し、前記駆動機構４は前記伝動部材５を介して前記回転軸部材７の回転を駆動する。前記回転軸部材７が回転すると、前記羽根７１により前記餌落下槽８１内の餌が前記第２餌出口８２に搬送される。餌は、前記第２餌出口８２を通して前記餌落下管１２に進入し、その後、前記餌皿２内に落下する。
【００１９】
図６を参照すると、前記伝動部材５は、タービン５１、複数のトリガ部５２、及び装着円筒５３を含む。前記トリガ部５２は「Ｖ」字形の突出部である。複数の前記トリガ部５２は、前記タービン５１の縁部に沿ってタービン５１の上面に均一に分布する。前記マイクロスイッチ６のアクションバネは前記トリガ部５２に当接する。前記装着円筒５３は前記タービン５１の中央部に固定され、前記装着円筒５３には装着穴５３１が設けられる。駆動機構４が伝動部材５を一定角度回転させると、トリガ部５２はアクションバネを押してマイクロスイッチ６をトリガする。
【００２０】
図５を参照すると、前記駆動機構４は、モーター４１、第１ベルトプーリ４２、第２ベルトプーリ４３、及びウォームスクリュー４４を含む。前記モーター４１は、第１ベルト４５を介して前記第１ベルトプーリ４２に駆動接続される。前記第１ベルトプーリ４２は、第２ベルト４６を介して前記第２ベルトプーリ４３に駆動接続され、前記ウォームスクリュー４４は、前記第２ベルトプーリ４３の円心位置に固定接続され、前記タービン５１は、前記ウォームスクリュー４４と噛み合う。
【００２１】
駆動機構４の動作原理は次のとおりである。モーター４１が作動すると、その出力軸が第１ベルト４５を介して第１ベルトプーリ４２の回転を駆動する。第１ベルトプーリ４２の円心位置には伝動軸４２１が固定される。伝動軸４２１は、第２ベルト４６を介して第２ベルトプーリ４３の回転を駆動する。さらに、第２ベルトプーリ４３の直径は第１ベルトプーリ４２の直径よりも大きく、減速の作用を果たす。第２ベルトプーリ４３は、ウォームスクリュー４４を介してタービン５１の回転を駆動する。
【００２２】
図７を参照すると、前記回転軸部材７の付け根部は挿着ポール７２であり、前記挿着ポール７２の断面は「十」字形を呈する。前記挿着ポール７２は、前記装着穴５３１とマッチングし、前記装着穴５３１内に挿入する。前記回転軸部材７には羽根装着円筒７３が更に設けられる。複数の前記羽根７１は、前記羽根装着円筒７３の側面に均一に分布する。前記回転軸部材７の頭部には撹拌翼７４が設けられる。前記撹拌翼７４は、前記第１餌出口３２を通して前記餌容器３内に延びる。回転軸部材７及び餌落下皿８は交換可能である。餌落下槽８１の容積は、羽根７１のサイズ及び餌落下皿８のサイズに関連する。餌送出の量は餌落下槽８１の容積に関連する。従って、ユーザーは、異なるサーズの羽根７１を有する回転軸部材７、及び羽根７１にマッチングする餌落下皿８を交換することによって、餌送出の単位量を調整するという目的を達成する。
【００２３】
図１、図２及び図１１を参照すると、前記ハウジング１は、フロントパネル１３、及び前記フロントパネル１３の一側に下から上に順に設けられた下ハウジング１４と上ハウジング１５を含む。具体的には、下ハウジング１４は、フロントパネル１３の内側面に螺着される。前記上ハウジング１５と前記下ハウジング１４とは回転軸を介して回転可能に接続される。前記上ハウジング１５の内上面には装着板１６が設けられる。前記装着板１６には、それに摺動可能に接続されたピンプレート１６１が設けられる。前記フロントパネル１３の側面には、前記ピンプレート１６１に対応するピンホール１３１（図１３参照）が設けられる。前記ピンプレート１６１には押しボタン１６１１が設けられる。前記上ハウジング１５には、前記押しボタン１６１１に対応する位置回避穴１５１が設けられる。
【００２４】
図９を参照すると、前記餌容器３にはシールリング３３が設けられ、前記シールリング３３は前記餌入口３１の周りに配置される。前記装着板１６の底面には、前記シールリング３３とマッチングする環形槽１６２が設けられる。上ハウジング１５と下ハウジング１４とが合わさると、シールリング３３は環形槽１６２内に嵌入され、密封の作用を果たし、外部の湿気が餌容器３内に進入するのを防止する。
【００２５】
図１２を参照すると、前記装着板１６の底面には、収容室１６３と、前記収容室１６３をカバーするためのカバー板１６４とが更に設けられる。前記カバー板１６４には複数の貫通孔１６４１が設けられる。前記カバー板１６４の側縁には係止突起１６４２が設けられ、前記装着板１６には、前記係止突起１６４２に対応する係止孔１６５が設けられる。収容室１６３は、乾燥剤パックを置くために使用される。使用時には、乾燥剤パックが収容室１６３内に置かれ、カバー板１６４で覆われ、係止突起１６４２が係止孔１６５に係止される。乾燥剤パックは、貫通孔１６４１を通して餌容器３内の湿気を吸収し、湿気防止の作用を果たす。
【００２６】
図１及び図１４を参照すると、前記フロントパネル１３には、撮像のための赤外線暗視カメラ１３２が更に設けられる。前記ハウジング１内には、前記駆動機構を制御するための給餌ボタン１７、ＷＩＦＩモジュール１８、及びＭＣＵモジュール１９が更に設けられる。前記下ハウジング１４には、電力を供給するための電源インターフェース１４１（図３参照）が設けられる。前記給餌ボタン１７、前記ＷＩＦＩモジュール１８、前記赤外線暗視カメラ１３２、前記駆動機構４、前記赤外線センサー１２１はいずれも前記ＭＣＵモジュール１９に電気的に接続される。ユーザーは、給餌ボタン１７により駆動機構４を作動させて給餌を行う。ユーザーはさらに、モバイルデバイスを介してＷＩＦＩモジュール１８とつながり、モバイルデバイス上のＡＰＰによりＭＣＵモジュール１９に命令を出力することもできる。そして、ＭＣＵモジュール１９は、給餌を行うように駆動機構４の動作を制御する。赤外線暗視カメラ１３２は、ビデオ監視の機能を提供する。赤外線暗視カメラ１３２は、ペットの状態を監視して、ＷＩＦＩモジュール１８を介してビデオ情報をユーザーのデバイスに送信するために使用される。
【００２７】
図１０を参照すると、前記餌容器３の底部には、それに螺着された詰まり防止ブロック３４が更に設けられる。詰まり防止ブロック３４は、直線に沿って配置された複数のゴムストリップで構成され、ゴムストリップは軟質ゴム製である。詰まり防止ブロック３４は、餌を餌落下槽８１内に掻き落とし、詰まり防止の作用を果たす。
【００２８】
図５を参照すると、前記羽根７１と前記トリガ部５２とは同じ数で一対一に対応する。
このペット給餌器の動作原理は次のとおりである。駆動機構４が起動して、前記伝動部材５を介して前記回転軸部材７の回転を駆動する。回転軸部材７が回転すると、羽根７１により餌落下槽８１内の餌が第２餌出口８２に搬送される。餌は、第２餌出口８２を通して餌落下管１２に進入し餌皿２内に落下する。１つの餌落下槽８１内の餌が餌皿２内に落下すると、１食分の餌となる。同時に、トリガ部５２がマイクロスイッチ６をトリガし、駆動機構４が動作を停止し、一回の餌送出を完了する。従って、このペット給餌器は餌を定量的に送出することができる。
【００２９】
本考案の有利な効果は以下のとおりである。
１．複数の羽根は餌落下皿を複数の同じ容積の餌落下槽に分割し、餌落下槽は定量化の作用を果たす。餌を送出するとき、餌容器内の餌が第１餌出口から餌落下槽内に落下する。回転軸部材が回転すると、羽根は餌落下槽内の餌を第２餌出口に移動させる。餌は第２餌出口から餌落下管に進入し、その後、餌皿内に落下する。１つの餌落下槽内の餌が餌皿内に落下すると、１食分の餌となる。同時に、トリガ部はマイクロスイッチをトリガし、駆動機構は動作を停止し、一回の餌送出を完了する。従って、このペット給餌器は餌を定量的に送出することができる。
２．装着板の底面には、収容室及び収容室をカバーするためのカバー板がさらに設けられる。カバー板には複数の貫通孔が設けられる。カバー板の側縁には係止突起が設けられ、装着板には、係止突起に対応する係止孔が設けられる。使用時に、乾燥剤パックが収容室内に置かれ、カバー板でカバーされる。乾燥剤パックは貫通孔を通して湿気を吸収するように機能する。餌容器にはシールリングが設けられ、シールリングは餌入口の周りに配置される。装着板の底面には、シールリングとマッチングする環形槽が設けられる。シールリングは環形槽内に嵌入され、密封の作用を果たして、湿気防止の効果を更に向上させる。
３、餌容器の底部には詰まり防止ブロックが更に設けられる。詰まり防止ブロックは軟質ゴム製であり、複数の帯状部材を有する。詰まり防止ブロックは、詰まりを防止するために餌を餌落下槽内に掻き落とす。
本考案は上記実施形態に限定されるものではなく、本考案の目的を達成するための同様の構成及び方法を用いることはすべて本考案の保護範囲内である。
【符号の説明】
【００３０】
１…ハウジング、２…餌皿、３…餌容器、４…駆動機構、５…伝動部材、６…マイクロスイッチ、７…回転軸部材、８…餌落下皿、１１…装着ベース、１２…餌落下管、１３…フロントパネル、１４…下ハウジング、１５…上ハウジング、１６…装着板、１７…給餌ボタン、１８…ＷＩＦＩモジュール、１９…ＭＣＵモジュール、３１…餌入口、３２…第１餌出口、３３…シールリング、３４…詰まり防止ブロック、４１…モーター、４２…第１ベルトプーリ、４３…第２ベルトプーリ、４４…ウォームスクリュー、４５…第１ベルト、５１…タービン、５２…トリガ部、５３…装着円筒、７１…羽根、７２…挿着ポール、７３…羽根装着円筒、７４…撹拌翼、８２…第２餌出口、１２１…赤外線センサー、１３１…ピンホール、１３２…赤外線暗視カメラ、１４１…電源インターフェース、１５１…位置回避穴、１６１…ピンプレート、１６３…収容室、」１６４…カバー板、１６５…係止孔、５３１…装着穴、１６１１…押しボタン、１６４１…貫通孔、１６４２…係止突起。
【図１】
0003221939.tif 000003
【図２】
0003221939.tif 000004
【図３】
0003221939.tif 000005
【図４】
0003221939.tif 000006
【図５】
0003221939.tif 000007
【図６】
0003221939.tif 000008
【図７】
0003221939.tif 000009
【図８】
0003221939.tif 000010
【図９】
0003221939.tif 000011
【図１０】
0003221939.tif 000012
【図１１】
0003221939.tif 000013
【図１２】
0003221939.tif 000014
【図１３】
0003221939.tif 000015
【図１４】
0003221939.tif 000016